(57)【要約】【課題】器具本体の小形化とランプ交換の作業性の向上とを共に図ることができる照明器具および照明装置を提供する。【解決手段】セラミックメタルハライドランプ１１が収容される光源収容部、投光開口部、取付部材５が配設される取付端部２ｂおよび取付端部側に配設された点灯装置７を有し、取付端部から先端部側に向けて先細形状に形成された本体ケース２と；本体ケースの先端部２ａ側に揺動可能に取り付けられて投光開口部を覆うとともに、少なくとも一部に投光部を有するカバー４と；本体ケース内の先端部側に配設された光源のランプソケット１０と；を具備している。【選択図】  図１
2010073644.tif 000002
【特許請求の範囲】
【請求項１】
光源が収容される光源収容部、投光開口部、取付部材が配設される取付端部および取付端部側に配設された点灯装置を有し、取付端部から先端部側に向けて先細形状に形成された本体ケースと；
本体ケースの先端部側に揺動可能に取り付けられて投光開口部を覆うとともに、少なくとも一部に投光部を有するカバーと；
本体ケース内の先端部側に配設された光源のランプソケットと；
を具備していることを特徴とする照明器具。
【請求項２】
本体ケースは、ランプソケットが本体ケースの側面に変更可能に取り付けられるように構成されていることを特徴とする請求項１記載の照明器具。
【請求項３】
本体ケースは、光源からの光を本体ケースの先細方向前方へ反射させる前方配光用反射部材と、その側方へ反射させる左右配光用反射部材を、変更可能に配設することができるように構成されていることを特徴とする請求項１または２記載の照明器具。
【請求項４】
請求項１ないし３のいずれか一記載の照明器具と；
この照明器具が取り付けられるポールと；
を具備することを特徴とする照明装置。
【発明の詳細な説明】
【技術分野】
【０００１】
本発明は、街路灯や道路灯等に適用される照明器具および照明装置に関する。
【背景技術】
【０００２】
従来から、照明器具の本体ケース内に、ランプとその点灯装置を内蔵した照明器具および照明装置が知られている（例えば、特許文献１参照）。
【特許文献１】特開２００４−１１１２８４号公報
【発明の開示】
【発明が解決しようとする課題】
【０００３】
しかしながら、このような従来の照明器具および照明装置では、照明器具の本体ケースである器具本体を先細形状に形成しているにも拘らず、その先細方向に直交する幅方向に光軸が平行をなすように両口金のランプを配設するために左右一対の側壁面に、ランプソケットをそれぞれ配設している。
【０００４】
このために、器具本体の幅方向の寸法を小形化することができず、大形化を招いているという課題がある。
【０００５】
また、このために、器具本体の先細形状の先細方向前方に投光する前方配光タイプにしか構成できない、という課題もある。
【０００６】
さらに、ランプ交換の際は、ガラスパネルを有する枠をまず器具本体から取外して器具本体の開口を開口させ、次に、この開口からランプを器具本体外へ引き出し、その後、再び交換用ランプを枠の開口から挿入しなければならず、ランプ交換の作業性が悪いという課題がある。特に、この照明器具がポールの上部や高所に取り付けられる場合には、そのランプ交換の作業性が一層悪化するうえに、作業が煩雑となる。
【０００７】
本発明は、このような事情を考慮してなされたもので、器具本体の小形化とランプ交換の作業性の向上とを共に図ることができる照明器具および照明装置を提供することを目的とする。
【課題を解決するための手段】
【０００８】
請求項１記載の照明器具は、光源が収容される光源収容部、投光開口部、取付部材が配設される取付端部および取付端部側に配設された点灯装置を有し、取付端部から先端部側に向けて先細形状に形成された本体ケースと；本体ケースの先端部側に揺動可能に取り付けられて投光開口部を覆うとともに、少なくとも一部に投光部を有するカバーと；本体ケース内の先端部側に配設された光源のランプソケットと；を具備していることを特徴とする。
【０００９】
請求項２記載の照明器具は、本体ケースは、ランプソケットが本体ケースの側面に変更可能に取り付けられるように構成されていることを特徴とする。
【００１０】
請求項３記載の照明器具は、本体ケースは、光源からの光を本体ケースの先細方向前方へ反射させる前方配光用反射部材と、その側方へ反射させる左右配光用反射部材を、変更可能に配設することができるように構成されていることを特徴とする。
【００１１】
請求項４記載の照明装置は、請求項１ないし３のいずれか一記載の照明器具と；この照明器具が取り付けられるポールと；を具備することを特徴とする。
【００１２】
上記発明において、光源としては、例えばセラミックメタルハライドランプやＬＥＤ（発光ダイオード）ランプでもよく、光源に限定されない。
【００１３】
また、本発明は、市街地街路や道路、オフィス街などのエリア景観照明用等の街路灯等に適用される。街路灯としてはアームタイプとポールヘッドタイプのいずれにも適用することができる。
【発明の効果】
【００１４】
請求項１記載の発明によれば、先細形状の本体ケースの狭隘な先細先端部側の空間にランプソケットを設けることにより、光源を配置しているので、本体ケースの狭隘な先細先端部側空間を有効に活用することができ、その分、本体ケースの小形化を図ることができる。
【００１５】
また、ポールやアーム等の取付部材に取り付けられて支持され、その支持強度の高い本体ケースの取付端部側に比較的質量の大きい点灯装置を配設する一方、その支持部から離反している先端部側に、比較的軽量なランプソケットと光源を配置するので、照明器具全体の支持強度のバランスを安定させることができる。
【００１６】
請求項２記載の発明によれば、ランプソケットと光源とを、必要に応じて本体ケースの先細先端部から側面側へ変更して配設することができる。
【００１７】
請求項３記載の発明によれば、前方配光用反射部材を必要に応じて左右配光用反射部材に変更して配設することができる。
【００１８】
請求項４記載の発明によれば、請求項１〜３記載の発明のいずれか一つを具備しているので、これら発明と同様の作用効果を奏することができる。
【発明を実施するための最良の形態】
【００１９】
以下、本発明の実施形態を添付図面に基づいて説明する。複数の添付図面中、同一または相当部分には同一符号を付している。
【００２０】
図１は本発明の第１の実施形態に係る照明器具１をほぼ平面から見たときの概略平面図、図２は図１のＩＩ−ＩＩ線断面図、図３は同概略外観側面図である。
【００２１】
図１〜図３に示すように照明器具１は、左右配光タイプであり、先細形状の本体ケース２と、この本体ケース２の先端部２ａの底面（図２，図３では下面）に、例えば２個のヒンジ３，３により揺動可能に取り付けられたカバー４と、を具備している。
【００２２】
本体ケース２は、その底面形状が矩形であり、その長手方向一端部（図１〜図３では右端部）２ｂを、ほぼ垂直に所定長立ち上がる垂直壁に形成し、この垂直壁の外面に取付部材の一例である取付金具５を固定して取付端部に形成している。この取付金具５は、図示しない地面上に立設されるポールの上部やアーム等に図２に示すようにカバー４を下に向けた状態で取り付けられる。
【００２３】
本体ケース２は、その上面２ｃを、取付端部２ｂから先方（図１〜図３では左方向）へ向けて若干外方へ膨出してから漸次細くなる湾曲面により先細形状に形成している。
【００２４】
本体ケース２は、その内部にランプ収容室６を形成する一方、その図２中右側の取付端部２ｂ側に、点灯装置７を収容する点灯装置収容室８を形成している。
【００２５】
ランプ収容室６は、その内部に、左右配光用反射部材の一例である左右配光用ミラー９を配設している。左右配光用ミラー９は、アルミニウム製平板の内面をエンボス加工により、反射面に形成すると共に、ケース本体２の幅方向、すなわち左右方向へ配光するように形成しており、そのカバー４側の矩形底面９ａを投光開口として開口させる一方、先端部側にほぼ垂直に立ち上がる前端壁９ｂを形成している。
【００２６】
前端壁９ｂは、その幅方向と高さ方向のほぼ中間部にてランプソケット１０の軸方向中間部を貫通させた状態で固定している。ランプソケット１０は、その図中左端部を図示省略した給電用リード線を介して点灯装置７の出力端に接続している。また、ランプソケット１０には、光源の一例であるセラミックメタルハライドランプ１１を、その口金のねじ込み等により着脱可能に装着している。
【００２７】
そして、カバー４は、ケース本体２の底面よりも若干小さい矩形平板状に形成され、そのほぼ中央部に、左右配光用ミラー９の投光開口９ａに適合した大きさと形状の開口にガラス等の透光性プレート４ａを嵌合して、投光部を形成している。また、カバー４は、その内面外周部にパッキンを貼着し、このパッキンを介して本体ケース２の底面に密着させている。さらに、カバー４は、そのヒンジ３の枢着端部と反対側端部（図１〜図３では右端部）の中間部、または、その両端部を止めねじ１２により固定している。
【００２８】
したがって、この止めねじ１２をカバー４から取り外すことにより、カバー４をヒンジ３，３を軸にして、その取付端部２ｂ側（後方）を大きく開放させることができる。
【００２９】
このために、照明器具１が取付金具５により図示省略のポール等の取付部材に取り付けられる取付端部２ｂ側（後方）からカバー４の止めねじ１２を外してこのカバー４を取付端部２ｂ側の後方へ容易に開放させることができる。
【００３０】
そして、この照明器具１によれば、先細形状の本体ケース２の狭隘な先端部２ａ側の空間にランプソケットを設けることにより、セラミックメタルハライドランプ１１を配置しているので、本体ケース２の狭隘な先端部２ａ側の空間を有効に活用することができ、その分、本体ケース２の小形化を図ることができる。
【００３１】
また、ポールやアーム等の取付部材に取り付けられて支持され、その支持力の大きい本体ケース２の取付端部２ｂ側に質量の大きい点灯装置７を配設する一方、その支持部から若干遠いために支持力が取付端部２ｂ側よりも若干弱い先端部２ａ側に、軽量のランプソケット１０とセラミックメタルハライドランプ１１を配置するので、照明器具１全体の支持強度のバランスを安定させることができる。
【００３２】
そして、照明器具１によれば、左右配光用ミラー９により左右配光を行うことができる。
【００３３】
また、本体ケース２の先端部２ａ側にランプソケット１０とセラミックメタルハライドランプ１１が配設され、カバー４が本体ケース２の取付端部２ｂ側、つまり後方へ開放されるので、照明器具１の後方側で作業する作業員にとって、カバー４の止めねじ１２を外してカバー４を開放し、セラミックメタルハライドランプ１１をランプソケット１０から取り外して、開扉中のカバー４から外部へ取り出し、その後、再び交換用ランプ１１をランプソケット１０へ装着するランプ交換作業の作業性を向上させることができる。
【００３４】
図４は本発明の第２の実施形態に係る照明器具１Ａの概略平面図、図５はそのＶ−Ｖ線断面図である。
【００３５】
図４，図５に示すように、この照明器具１Ａは、図１，図２で示す実施形態に係る照明器具１において、ランプソケット１０の配置を本体ケース２の先端部２ａ側から側面側に変更すると共に、左右配光用反射ミラー９を前方配光用ミラー９１に変更した点に特徴があり、これ以外の構成は照明器具１と同一である。
【００３６】
すなわち、この照明器具１Ａは、本体ケース２内に左右配光用ミラー９と前方配光用ミラー９１の両者の一方を収容し、これら両者９，９１をねじ止め等によりそれぞれ固定し得る構造を予め具備しているので、左右配光用ミラー９に代えて前方配光用ミラー９１を本体ケース内に収容してねじ止め等により固定することができる。
【００３７】
図５に示すように前方配光用ミラー９１は、その底面を開口９１ａさせる一方、ミラー本体９１ｃを本体ケース２の取付端部２ｂ側から先端部２ａ側へ向けて漸次細くなる湾曲面により先細形状に形成する一方、その幅方向で対向する一対の側面９１ｂ，９１ｂを平面により形成している。
【００３８】
これら両側面９１ｂ，９１ｂの一方には、その後部にてランプソケット１０の軸方向中間部を板厚方向に貫通させた状態で固着している。ランプソケット１０の内端部にはセラミックメタルハライドランプ１１をその口金のねじ込み等により装着し、ランプソケット１０の外端部には図示省略のリード線を介して点灯装置７の出力端に電気的に接続されている。このために、セラミックメタルハライドランプ１１の光軸は前方配光用ミラー９１の幅方向にほぼ平行に配設されている。
【００３９】
したがって、この照明器具１Ａによれば、図１，図２等で示す左右配光用の照明器具１を、非常に簡単かつ迅速に前方配光用の照明器具に変更することができる。すなわち、前方配光用の照明器具１と左右配光用の照明器具１Ａとの部品共通化を大幅に増加させることができる。
【００４０】
図６は本発明の第３の実施形態に係るポールタイプの街路灯の側面図である。この街路灯２１は、図１〜図３で示す照明器具１または図４，図５で示す照明器具１Ａを、その取付金具５によりポール２２の上部の取付部２２ａに取り付けられた点に特徴がある。このポール２２は、所要の地面２３上に所要高さに立設された金属製の中空の円筒または角筒により構成されている。
【００４１】
図７は本発明の第４の実施形態に係るブラケットタイプの照明装置２４の側面図である。この照明装置２４は、上記照明器具１または１Ａを、その取付金具５により建屋の所要の壁面２５の取付部２５ａに取り付けられた点に特徴がある。
【００４２】
これらポールタイプの街路灯２１やブラケットタイプの照明装置２４は、上記照明器具１または１Ａを具備しているので、上述した照明器具１，１Ａの作用効果と同一の作用効果を奏することができる。
【００４３】
なお、これら街路灯２１と照明器具２４の取付金具５と、ポール２２の取付部２２ａおよび壁面２５の取付部２５ａはその取付に適した構成に適宜変更してもよい。
【図面の簡単な説明】
【００４４】
【図１】本発明の第１の実施形態に係る照明器具の概略平面図。
【図２】図１のＩＩ−ＩＩ線断面図。
【図３】図１，図２で示す照明器具の概略外観側面図。
【図４】本発明の第２の実施形態に係る照明器具の概略平面図。
【図５】図４のＶ−Ｖ線断面図。
【図６】本発明の第３の実施形態に係るポールタイプの街路灯の側面図。
【図７】本発明の第４の実施形態に係るブラケットタイプの照明装置の側面図。
【符号の説明】
【００４５】
１，１Ａ…照明器具、２…本体ケース、２ａ…本体ケースの先端部、２ｂ…本体ケースの取付端部、４…カバー、４ａ…投光部、５…取付金具、６…ランプ収容室、７…点灯装置、９…左右配光用ミラー（反射部材）、１０…ランプソケット、１１…セラミックメタルハライドランプ（光源）。
【図１】
2010073644.tif 000003
【図２】
2010073644.tif 000004
【図３】
2010073644.tif 000005
【図４】
2010073644.tif 000006
【図５】
2010073644.tif 000007
【図６】
2010073644.tif 000008
【図７】
2010073644.tif 000009